(57)【要約】【課題】閉状態の開閉体が自重により傾く不具合を修正して開閉体の開閉動作をスムーズに行うことができ、また、開状態において開閉体がさらに開く方向へ自然に回動してしまう不都合をなくすことができる遊技機を提供する。【解決手段】ヒンジ機構２８は、回動軸５０と、軸受部３４と、回動軸５０の端部を回動軸５０の延設方向とは異なる方向へ移動して回動軸５０の傾きを調整可能な軸調整機構６８とを備え、上皿ユニットを開いて開状態へ変換すると、軸調整機構６８により回動軸５０の第１軸部材５３を移動して回動軸５０を上皿ユニットの開閉中心として予め設定された縦向きの基準線Ｌ０上に配置し、上皿ユニットを閉じて閉状態へ変換すると、軸調整機構６８により第１軸部材５３を移動して回動軸５０を基準線Ｌ０から傾いた姿勢であり、且つ回動軸５０の上端部が下端部よりも上皿ユニットの一側寄りに配置されるように構成した。【選択図】図４
2008036147.tif 000002
【特許請求の範囲】
【請求項１】
開閉体の一側に配置され、開閉体を横方向へ開閉可能とするヒンジ機構を備えた遊技機において、
前記ヒンジ機構は、縦向きに配置された回動軸と、該回動軸を回動可能に支持する軸受部と、回動軸の端部を回動軸の延設方向とは異なる方向へ移動して回動軸の傾きを調整可能な軸調整機構と、を備え、
前記開閉体を開いて開状態へ変換すると、軸調整機構により回動軸の端部を移動して回動軸を開閉体の開閉中心として予め設定された縦向きの基準線上に配置し、
前記開閉体を閉じて閉状態へ変換すると、軸調整機構により回動軸の端部を移動して回動軸を前記基準線から傾いた姿勢であり、且つ回動軸の上端部が下端部よりも開閉体の一側寄りに配置されるように構成したことを特徴とする遊技機。
【請求項２】
前記ヒンジ機構は、開閉体の開閉動作を規制する開閉ストッパーを備えたことを特徴とする請求項１に記載の遊技機。
【請求項３】
前記軸調整機構は、回動軸と共回りするカムフォロワと、該カムフォロワを摺動可能な状態で嵌合するカム部と、を備え、
前記カムフォロワは、回動軸の上端部の側部から外方へ突設された突出片で構成され、
前記カム部は、軸受部に開設された略扇状開口の外側縁部で構成され、
前記カム部にカムフォロワを嵌合した状態で開閉体を開状態から閉状態へ変換すると、カムフォロワがカム部に案内されて回動軸の上端部を回動しながら開閉体の一側へ向けて移動するように構成したことを特徴とする請求項１または請求項２に記載の遊技機。
【請求項４】
前記軸調整機構は、回動軸と共回りするカムフォロワと、該カムフォロワを摺動可能な状態で嵌合するカム部と、を備え、
前記カムフォロワは、回動軸の上端部の側部に接続された縦向きのピンで構成され、
前記カム部は、軸受部に開設された円弧状の溝部で構成され、
前記カム部にカムフォロワを嵌合した状態で開閉体を開状態から閉状態へ変換すると、カムフォロワがカム部に案内されて回動軸の上端部を回動しながら開閉体の一側へ向けて移動するように構成したことを特徴とする請求項１または請求項２に記載の遊技機。
【請求項５】
前記軸調整機構は、回動軸と共回りする被ガイド部と、該被ガイド部に当接可能なガイド部と、を備え、
該ガイド部を回動軸よりも開閉体の他側寄りに配置し、ガイド部と回動軸との間に被ガイド部を挟む状態で備え、
前記被ガイド部は、開閉体の開状態においてガイド部に当接する第１当接部と、開閉体の閉状態においてガイド部に当接する第２当接部と、を備えて回動軸の上端部に設けられ、第２当接部と回動軸との間の幅を第１当接部と回動軸との間の幅よりも広く設定し、
前記ガイド部に被ガイド部を当接した状態で開閉体を開状態から閉状態へ変換すると、被ガイド部の第２当接部がガイド部に押圧されて回動軸の上端部を回動しながら開閉体の一側へ向けて移動するように構成したことを特徴とする請求項１または請求項２に記載の遊技機。
【発明の詳細な説明】
【技術分野】
【０００１】
本発明は、開閉体を横方向へ開閉可能とするヒンジ機構を備えたパチンコ遊技機等の遊技機に関する。
【背景技術】
【０００２】
従来の遊技機、例えば、パチンコ遊技機においては、複数の開閉体を備えている。例えば、パチンコ遊技機の外枠（機枠あるいは本体枠）にはヒンジ機構を介して前面枠を開閉可能に軸着し、該前面枠にはヒンジ機構を介して透明部材保持枠（ガラス枠）や球貯留皿を開閉可能に軸着している。そして、近年では、遊技演出等の向上を図るために、パチンコ遊技機の電子化および複雑化が進み、これにより、開閉体の重量が増加する傾向にある。この結果、開閉体の重心がヒンジ機構とは反対側、すなわち軸着側とは反対の自由端側へ偏ってしまうことがある。すると、開閉体が傾いて自由端側が下方へずれてしまい、開閉体と該開閉体を軸着するベースとが干渉し、開閉体の開閉をスムーズに行えない。そこで、特許文献１では、ヒンジ機構の上部（上部ヒンジ機構）を下部（下部ヒンジ機構）よりも自由端側に配置して、開閉体とベースとの干渉を阻止するように構成されたパチンコ遊技機が提案されている。さらに、特許文献２では、開閉体の傾きを考慮して、開閉体の下縁部を斜めに切り欠いて、開閉体とベースとの干渉を阻止するように構成された遊技機が提案されている。
【特許文献１】実公平１−０４０５３８号公報
【特許文献２】特開平１０−０３３７８３号公報
【発明の開示】
【発明が解決しようとする課題】
【０００３】
ところが、上記特許文献１に記載の遊技機では、開閉体を開状態へ変換した場合、開閉体の重力がヒンジ機構の回動軸周りに作用することになるため、開閉体がさらに開く方向へ自然に回動してしまう。このため、遊技機のメンテナンス作業時や、遊技中のトラブルからの復旧作業時などにおいては、作業員が開閉体を開状態に維持することに注意を払わなければならず、作業の負担の軽減に改善の余地を残している。特に、遊技中のトラブルの復旧作業時においては、開閉体が開きすぎると、近隣で遊技を行っている遊技者に開閉体が衝突し易くなり、遊技の興趣の低減をも引き起こしてしまう虞がある。
【０００４】
また、上記特許文献２に記載の遊技機では、予め開閉体の下縁部を斜めに形成しているため、開閉体のデザインを水平線や垂直線を基調とする場合には美観が優れない。さらに、開閉体の傾きを解消していないため、開閉体を閉状態でロックするための係止機構、例えばベース側に設けた係止受部と開閉体側に設けた係止爪とが上下にずれた状態になってしまう。この結果、開閉体の自由端側を手で持ち上げる等して傾きを修正しないと、開閉体をロックすることができず面倒である。
【０００５】
本発明は、上記の事情に鑑みてなされたものであり、その目的は、閉状態の開閉体が自重により傾く不具合を修正して開閉体の開閉動作をスムーズに行うことができ、また、開状態において開閉体がさらに開く方向へ自然に回動してしまう不都合をなくすことができる遊技機を提供しようとするものである。
【課題を解決するための手段】
【０００６】
本発明は、上記目的を達成するために提案されたものであり、請求項１に記載のものは、開閉体の一側に配置され、開閉体を横方向へ開閉可能とするヒンジ機構を備えた遊技機において、
前記ヒンジ機構は、縦向きに配置された回動軸と、該回動軸を回動可能に支持する軸受部と、回動軸の端部を回動軸の延設方向とは異なる方向へ移動して回動軸の傾きを調整可能な軸調整機構とを備え、
前記開閉体を開いて開状態へ変換すると、軸調整機構により回動軸の端部を移動して回動軸を開閉体の開閉中心として予め設定された縦向きの基準線上に配置し、
前記開閉体を閉じて閉状態へ変換すると、軸調整機構により回動軸の端部を移動して回動軸を前記基準線から傾いた姿勢であり、且つ回動軸の上端部が下端部よりも開閉体の一側寄りに配置されるように構成したことを特徴とする遊技機である。
【０００７】
請求項２に記載のものは、前記ヒンジ機構は、開閉体の開閉動作を規制する開閉ストッパーを備えたことを特徴とする請求項１に記載の遊技機である。
【０００８】
請求項３に記載のものは、前記軸調整機構は、回動軸と共回りするカムフォロワと、該カムフォロワを摺動可能な状態で嵌合するカム部と、を備え、
前記カムフォロワは、回動軸の上端部の側部から外方へ突設された突出片で構成され、
前記カム部は、軸受部に開設された略扇状開口の外側縁部で構成され、
前記カム部にカムフォロワを嵌合した状態で開閉体を開状態から閉状態へ変換すると、カムフォロワがカム部に案内されて回動軸の上端部を回動しながら開閉体の一側へ向けて移動するように構成したことを特徴とする請求項１または請求項２に記載の遊技機である。
【０００９】
請求項４に記載のものは、前記軸調整機構は、回動軸と共回りするカムフォロワと、該カムフォロワを摺動可能な状態で嵌合するカム部と、を備え、
前記カムフォロワは、回動軸の上端部の側部に接続された縦向きのピンで構成され、
前記カム部は、軸受部に開設された円弧状の溝部で構成され、
前記カム部にカムフォロワを嵌合した状態で開閉体を開状態から閉状態へ変換すると、カムフォロワがカム部に案内されて回動軸の上端部を回動しながら開閉体の一側へ向けて移動するように構成したことを特徴とする請求項１または請求項２に記載の遊技機である。
【００１０】
請求項５に記載のものは、前記軸調整機構は、回動軸と共回りする被ガイド部と、該被ガイド部に当接可能なガイド部と、を備え、
該ガイド部を回動軸よりも開閉体の他側寄りに配置し、ガイド部と回動軸との間に被ガイド部を挟む状態で備え、
前記被ガイド部は、開閉体の開状態においてガイド部に当接する第１当接部と、開閉体の閉状態においてガイド部に当接する第２当接部と、を備えて回動軸の上端部に設けられ、第２当接部と回動軸との間の幅を第１当接部と回動軸との間の幅よりも広く設定し、
前記ガイド部に被ガイド部を当接した状態で開閉体を開状態から閉状態へ変換すると、被ガイド部の第２当接部がガイド部に押圧されて回動軸の上端部を回動しながら開閉体の一側へ向けて移動するように構成したことを特徴とする請求項１または請求項２に記載の遊技機である。
【発明の効果】
【００１１】
本発明によれば、以下のような優れた効果を奏する。
請求項１に記載の発明によれば、ヒンジ機構は、縦向きに配置された回動軸と、該回動軸を回動可能に支持する軸受部と、回動軸の端部を回動軸の延設方向とは異なる方向へ移動して回動軸の傾きを調整可能な軸調整機構とを備え、開閉体を開いて開状態へ変換すると、軸調整機構により回動軸の端部を移動して回動軸を開閉体の開閉中心として予め設定された縦向きの基準線上に配置し、開閉体を閉じて閉状態へ変換すると、軸調整機構により回動軸の端部を移動して回動軸を前記基準線から傾いた姿勢であり、且つ回動軸の上端部が下端部よりも開閉体の一側寄りに配置されるように構成したので、閉状態の開閉体が自重により傾く不具合を修正することができる。したがって、開閉体とその周辺の構成部品とが干渉する不都合を避けることができ、開閉体の開閉動作をスムーズに行うことができる。さらに、開状態においては、回動軸の姿勢を基準線上に沿う状態に設定することができる。したがって、例えば、基準線を垂直線とすれば、開状態の開閉体が停止せずに自然に回動してしまう不都合をなくすことができる。このことから、遊技機のメンテナンス作業時や遊技中のトラブルの復旧作業時に、作業員が開閉体を開状態に維持することに注意を払う必要がなく、作業の負担の軽減を図ることができる。
【００１２】
また、開閉動作をスムーズに行うために開閉体の一部を切り欠く必要がなく、開閉体の美観を損ね難い。さらに、開閉体の傾きを手で修正する必要がなく、開閉体の閉状態への変換が面倒にならない。
【００１３】
請求項２に記載の発明によれば、ヒンジ機構に、開閉体の開閉動作を規制する開閉ストッパーを備えたので、ヒンジ機構とは別個の部材を用いて開閉体の開閉動作を規制する必要がない。したがって、遊技機の構成が複雑になることを抑制することができ、遊技機の製造工程の簡素化や製造コストの低減を図ることができる。
【００１４】
請求項３に記載の発明によれば、軸調整機構は、回動軸と共回りするカムフォロワと、該カムフォロワを摺動可能な状態で嵌合するカム部とを備え、カムフォロワは、回動軸の上端部の側部から外方へ突設された突出片で構成され、カム部は、軸受部に開設された略扇状開口の外側縁部で構成され、カム部にカムフォロワを嵌合した状態で開閉体を開状態から閉状態へ変換すると、カムフォロワがカム部に案内されて回動軸の上端部を回動しながら開閉体の一側へ向けて移動するように構成したので、簡単な構成で軸調整機構を実現することができる。また、特別な動力を必要とせず、開閉体を回動するだけで回動軸の姿勢の調整を行うことができる。したがって、軸調整機構を備えたヒンジ機構の製造コストの低減、ひいては遊技機の製造コストの低減を図ることができる。
【００１５】
請求項４に記載の発明によれば、軸調整機構は、回動軸と共回りするカムフォロワと、該カムフォロワを摺動可能な状態で嵌合するカム部とを備え、カムフォロワは、回動軸の上端部の側部に接続された縦向きのピンで構成され、カム部は、軸受部に開設された円弧状の溝部で構成され、カム部にカムフォロワを嵌合した状態で開閉体を開状態から閉状態へ変換すると、カムフォロワがカム部に案内されて回動軸の上端部を回動しながら開閉体の一側へ向けて移動するように構成したので、軸受部に大きな開口を開設することなく、簡単な構成で軸調整機構を実現することができる。また、カム部とカムフォロワとを安定した状態で嵌合して、回動軸の姿勢の調整を容易に行うことができる。さらに、特別な動力を必要とせず、開閉体を回動するだけで回動軸の姿勢の調整を行うことができる。したがって、軸調整機構を備えたヒンジ機構の製造コストの低減、ひいては遊技機の製造コストの低減を図ることができる。
【００１６】
請求項５に記載の発明によれば、軸調整機構は、回動軸と共回りする被ガイド部と、該被ガイド部に当接可能なガイド部とを備え、ガイド部を回動軸よりも開閉体の他側寄りに配置し、ガイド部と回動軸との間に被ガイド部を挟む状態で備え、被ガイド部は、開閉体の開状態においてガイド部に当接する第１当接部と、開閉体の閉状態においてガイド部に当接する第２当接部と、を備えて回動軸の上端部に設けられ、第２当接部と回動軸との間の幅を第１当接部と回動軸との間の幅よりも広く設定し、ガイド部に被ガイド部を当接した状態で開閉体を開状態から閉状態へ変換すると、被ガイド部の第２当接部がガイド部に押圧されて回動軸の上端部を回動しながら開閉体の一側へ向けて移動するように構成したので、軸受部に回動軸が挿通される軸受孔以外の開口部を設ける必要がなく、簡単な構成で軸調整機構を実現することができる。また、特別な動力を必要とせず、開閉体を回動するだけで回動軸の姿勢の調整を行うことができ、軸調整機構を備えたヒンジ機構の製造コストの低減、ひいては遊技機の製造コストの低減を図ることができる。
【発明を実施するための最良の形態】
【００１７】
以下、代表的な遊技機であるパチンコ遊技機を例に挙げて本発明の実施の最良の形態を図面に基づき説明する。図１はパチンコ遊技機の斜視図である。
パチンコ遊技機１は、外枠（機枠あるいは本体枠）２に前面枠（内枠）３を開閉可能に軸着し、この前面枠３のベースとなる略額縁状の前面枠本体４に矩形状の遊技盤（図示せず）を収納可能とし、該遊技盤の表面には、略円形状の遊技領域（図示せず）を区画形成している。また、前面枠３の前面側には、一側（図１中、左側）が軸着された透明部材保持枠９を開閉（回動）可能に設け、該透明部材保持枠９に透視可能な透明部材１０を収納している。そして、透明部材保持枠９を閉じると、遊技盤が透明部材保持枠９により覆われるとともに、透明部材１０が遊技領域の前方に配置され、透明部材１０を通して遊技領域を前方から視認できるように構成している。さらに、透明部材保持枠９の下方には、一側（図１中、左側）が軸着された上皿ユニット１１（本発明における開閉体の一種）を開閉（回動）可能に設け、該上皿ユニット１１の下方には、下皿ユニット１２を上皿ユニット１１とは左右方向にずれた位置に配置されている。また、下皿ユニット１２の左側に灰皿１４を備え、下皿ユニット１２の右側に、発射装置（図示せず）を操作するための発射操作ユニット（発射操作ハンドル）１５を備えている。
【００１８】
上皿ユニット１１は、前面枠本体４の前側に軸着された横長なユニットであり、図２（ａ）に示すように、ベースパネル（開閉パネル）２１と、該ベースパネル２１の前面側に設けられ、遊技球を貯留可能な上皿部材２２と、該上皿部材２２の前方および下方を覆う上皿カバー部材２３とを備えて構成されている。また、ベースパネル２１の一側寄り（図２（ａ）中、左寄り）には、前後に貫通した上皿球排出口２５を開設して上皿部材２２の一側（図２（ａ）中、左側）に後方から連通し、ベースパネル２１の他側寄り（図２（ａ）中、右寄り）には、前後に貫通した上皿球供給口（図示せず）を開設して上皿部材２２の他側（図２（ａ）中、右側）に後方から連通している。そして、上皿ユニット１１を前面枠本体４（前面枠３）に対して閉じた状態では、前面枠本体４の後側に設けられた球排出装置（図示せず）と上皿球排出口２５とを連通するとともに、前面枠本体４の前側に設けられた発射装置と上皿供給口とを連通する。したがって、球排出装置から排出された遊技球は、上皿球排出口２５、上皿部材２２、上皿球供給口を介して発射装置へ供給される。
【００１９】
さらに、上皿ユニット１１の一側縁部（図２（ｂ）中、左縁部）には、当該上皿ユニット１１を前面枠本体４へ取り付けるためのヒンジ機構２８を配置している。ヒンジ機構２８は、上皿ユニット１１を横方向（具体的には前後方向）へ開閉可能とする縦長な機構であり、図３に示すように、前面枠本体４側に止着されるヒンジベース２９と、上皿ユニット１１側に止着され、この止着状態でヒンジベース２９に軸着されて回動可能なヒンジ回動部３０とから概略構成されている。
【００２０】
ヒンジベース２９は、金属板を屈曲する等して成形された縦長な部材であり、縦方向に延在するベース基部３２を備え、該ベース基部３２の上部および下部に軸受部３４を配置している。具体的には、ベース基部３２の上端から上側延設部３５を前方へ延設し、該上側延設部３５に上側軸受孔３６を開設して上側の軸受部３４となる上部軸受３７を構成している。また、ベース基部３２の下端から下側延設部４０を前方へ延設し、該下側延設部４０に下側軸受孔４１を開設して下側の軸受部３４となる下部軸受４２を構成している。そして、ベース基部３２の側縁部（図３（ａ）中、右縁部）を前方へ屈曲して縦長な補強部４５を形成し、該補強部４５とベース基部３２とでベース基部３２の断面をＬ字状に成形して、長尺なヒンジベース２９が上下方向の中央部分から曲がり難くなるように強度を高めてある。なお、ベース基部３２の上下両側には、ヒンジベース２９を前面枠本体４へ止着するための止着孔４６を複数開設している。また、上部軸受３７の上側軸受孔３６については、後で詳細に説明する。
【００２１】
ヒンジ回動部３０は、金属板を屈曲する等して成形された縦長な部材であり、縦方向に延在する回動基部４９を備え、該回動基部４９の上部および下部に回動軸５０を縦向きに配置している。具体的には、回動基部４９の上端から上側回動延設部５２を前方（詳しくは閉状態における前方）へ延設し、該上側回動延設部５２の上面から円柱状の第１軸部材５３を上方へ縦向きに延設して回動軸５０の一部（上端部）とし、該第１軸部材５３をヒンジベース２９の上部軸受３７に遊嵌して支持できるように構成している。また、回動基部４９の下端から下側回動延設部５４を前方へ延設し、該下側回動延設部５４に孔を開設して下側軸支部５５を形成し、該下側軸支部５５に、回動軸５０の一部（下部）となる逆Ｌ字状の第２軸部材５６を上下方向へ移動可能な状態で支持（遊嵌）し、この支持状態で第２軸部材５６の下部（すなわち回動軸５０の下端部）をヒンジベース２９の下部軸受４２に挿脱可能な状態で支持できるように構成している。
【００２２】
さらに、回動基部４９の上下方向の中央部分には、前後に貫通する貫通開口５９を開設し、回動基部４９の上下両側には、ヒンジ回動部３０を上皿ユニット１１へ止着するための止着孔６０を複数開設している。そして、貫通開口５９の下縁部には、第２軸部材５６の上部を支持する上側軸支部６１を前方へ向けて突設し、貫通開口５９の側縁部（図３（ａ）中、右縁部）には、第２軸部材５６の挿脱方向（上下方向）への移動を案内する縦長な平板状の挿脱案内部６２を前方へ向けて突設している。したがって、第２軸部材５６は、上側軸支部６１および下側軸支部５５に支持されることで前後方向や左右方向へ傾くことを阻止され、この阻止状態、言い換えると第２軸部材５６の縦向き姿勢を安定させた状態で挿脱案内部６２に沿って上下方向へ移動できるように構成されている。なお、貫通開口５９の側方（図３（ａ）中、右側方）には、後方へ向けてクランク状に屈曲した補強部６３を形成し、回動基部４９が貫通開口５９の周辺部分であっても曲がり難くなるように構成してある。
【００２３】
また、第２軸部材５６は、当該第２軸部材５６の下部に配置される縦長な軸部５６ａと、該軸部５６ａの上端から屈曲した横長な挿脱操作部５６ｂとから構成されている。そして、軸部５６ａのうち下寄りの位置に挿脱ストッパー６５を設け、該挿脱ストッパー６５と上側軸支部６１との間にコイルスプリング（付勢部材）６６を巻装し、このコイルスプリング６６により軸部５６ａを下方へ向けて付勢しており、自然状態（常態）では挿脱ストッパー６５が下側軸支部５５の上面に当接して軸部５６ａの下端を下側軸支部５５よりも下方へ突出させた状態で停止している。また、挿脱操作部５６ｂを貫通開口５９の前方に配置し、挿脱操作部５６ｂの先端部を挿脱案内部６２の前縁部に当接している。
【００２４】
そして、ヒンジ機構２８は、その上部に回動軸５０の姿勢を変化させるための軸調整機構６８を備えている。軸調整機構６８は、ヒンジ回動部３０に設けられた回動軸５０の端部を回動軸５０の延設方向（上下方向）とは異なる方向へ移動、具体的には、第１軸部材５３を左右方向へ移動して回動軸５０の傾きを調整可能な機構である。そして、図４（ａ）に示すように、回動軸５０の第１軸部材５３と共回りするカムフォロワ６９と、該カムフォロワ６９を摺動可能な状態で嵌合するカム部７０とから構成されている。
【００２５】
カムフォロワ６９は、第１軸部材５３の基端部の一側部（図４（ａ）中、実線で示す第１軸部材５３の左側部）から外方（左側方）へ突設された第１突出片６９ａと、他側部（図４（ａ）中、実線で示す第１軸部材５３の右側部）から外方（右側方）へ突設された第２突出片６９ｂとからなり、第１突出片６９ａの先端部および第２突出片６９ｂの先端部を後述するカム部７０に摺動するように構成されている。また、第１突出片６９ａおよび第２突出片６９ｂを第１軸部材５３を通る一直線上に配置し、第１突出片６９ａの突出長さと第２突出片６９ｂの突出長さを等しい寸法ｒに設定している。したがって、第１軸部材５３は、カムフォロワ６９の長手方向の中央部分に配置されている。
【００２６】
カム部７０は、上部軸受３７の上側軸受孔３６の周辺に形成された円弧状の外側縁部で構成されている。具体的に説明すると、上部軸受３７は、図４（ｂ）に示すように、上側軸受孔３６のうち中央部（中央開口部）３６ａの後寄りの一側（図４（ｂ）中、後寄りの左側）を、円弧部分が外側（左後側）に設定された略扇状に開口して第１開口部７３とし、該第１開口部７３の円弧凹状の外側縁部を第１突出片６９ａが当接（摺動）可能な第１カム部７０ａ（カム部７０の一部）に設定している。そして、第１カム部７０ａの後側端を第１開放当接部７５とし、該第１開放当接部７５から前方へ略９０°位相を異ならせた前側端を第１閉成当接部７６としている。さらに、第１カム部７０ａのうち第１開放当接部７５の近傍の半径を第１閉成当接部７６の近傍の半径よりも大きく設定している。
【００２７】
また、上側軸受孔３６のうち中央開口部３６ａの前寄りの他側（図４（ｂ）中、前寄りの右側）、言い換えると上側軸受孔３６の中央開口部３６ａを挟んで第１開口部７３とは反対側を、円弧部分が外側（右前側）に設定された略扇状に開口して第２開口部７８とし、該第２開口部７８の円弧凹状の外側縁部を第２突出片６９ｂが当接（摺動）可能な第２カム部７０ｂ（カム部７０の一部）に設定している。そして、第２カム部７０ｂの前側端を第２開放当接部８０とし、該第２開放当接部８０から後方へ略９０°位相を異ならせた後側端を第２閉成当接部８１としている。さらに、第２カム部７０ｂのうち第２開放当接部８０の近傍の半径を第２閉成当接部８１の近傍の半径よりも小さく設定している。なお、上側軸受孔３６の中央開口部３６ａは、下部軸受４２の下側軸受孔４１の直上に配置されている。また、本実施形態では、上側軸受孔３６の中央開口部３６ａと下側軸受孔４１とを通る縦向きの軸線を、上皿ユニット１１の開閉中心として予め設定された基準線Ｌ０に設定し、さらに、この基準線Ｌ０を垂直線としている（図３および図６参照）。
【００２８】
そして、中央開口部３６ａを挟んで反対側に位置する第１カム部７０ａと第２カム部７０ｂとの間隔、第１開放当接部７５と第２開放当接部８０との間隔（前後方向の間隔）、および第１閉成当接部７６と第２閉成当接部８１との間隔（左右方向の間隔）を、それぞれカムフォロワ６９が嵌合可能な寸法、すなわち第１突出片６９ａと第２突出片６９ｂとを合わせた長さ２ｒに設定している。そして、第１開放当接部７５と中央開口部３６ａ（または基準線Ｌ０）との距離Ｘ１と、第２開放当接部８０と中央開口部３６ａ（または基準線Ｌ０）との距離Ｘ２とを等しく設定し、距離Ｘ１を第１突出片６９ａの長さｒに等しく設定し、距離Ｘ２を第２突出片の長さｒに等しく設定している。また、第１閉成当接部７６と中央開口部３６ａ（または基準線Ｌ０）との距離Ｙ１を、第２閉成当接部８１と中央開口部３６ａ（または基準線Ｌ０）との距離Ｙ２よりも長く設定し、さらには第１突出片６９ａの長さｒよりも長く設定している。
【００２９】
また、上側軸受孔３６には、ヒンジ回動部３０の回動動作、ひいては上皿ユニット１１の開閉動作を規制する開閉ストッパー（開放ストッパー８３および閉成ストッパー８４）を備えている。具体的に説明すると、第１開口部７３のうち第１開放当接部７５側の側縁部（図４（ｂ）中、右縁部）を第１開放ストッパー８３ａとし、第２開口部７８のうち第２開放当接部８０側の側縁部（図４（ｂ）中、左縁部）を第２開放ストッパー８３ｂとしている。そして、第１開放ストッパー８３ａに第１突出片６９ａを当接するとともに、第２開放ストッパー８３ｂに第２突出片６９ｂを当接して、カムフォロワ６９の回動（詳しくは、上皿ユニット１１の開動作に伴う回動）を規制できるように構成されている。また、第１開口部７３のうち第１閉成当接部７６側の側縁部（図４（ｂ）中、前縁部）を第１閉成ストッパー８４ａとし、第２開口部７８のうち第２開放当接部８０側の側縁部（図４（ｂ）中、後縁部）を第２閉成ストッパー８４ｂとしている。そして、第１閉成ストッパー８４ａに第１突出片６９ａを当接するとともに、第２開放ストッパー８３ｂにカムフォロワ６９の第２突出片６９ｂを当接して、カムフォロワ６９の回動（詳しくは、上皿ユニット１１の閉動作に伴う回動）を規制できるように構成されている。
【００３０】
このような構成のヒンジ機構２８を介して前面枠本体４に上皿ユニット１１を取り付けるには、まず、上皿ユニット１１に止着されたヒンジ回動部３０の第１軸部材５３およびカムフォロワ６９を、前面枠本体４に止着されたヒンジベース２９の上部軸受３７の上側軸受孔３６（第１開口部７３、中央開口部３６ａ、第２開口部７８）へ嵌合する。詳しくは、第１突出片６９ａを第１開口部７３へ嵌合し、第２突出片６９ｂを第２開口部７８へ嵌合し、第１軸部材５３を中央開口部３６ａ、またはその近傍へ配置する。第１軸部材５３およびカムフォロワ６９を上部軸受３７へ嵌合したならば、ヒンジ回動部３０の貫通開口５９に指等を差し入れて挿脱操作部５６ｂをコイルスプリング６６の付勢力に抗して上方へスライドして、第２軸部材５６の軸部５６ａの下端を下側軸支部５５へ引き込ませる。第２軸部材５６の軸部５６ａを下側軸支部５５へ引き込ませたならば、この状態でヒンジ回動部３０の下部（下側軸支部５５）をヒンジベース２９の下部軸受４２の上方へ移動して軸部５６ａを下側軸受孔４１の直上に配置し、指を離す等して挿脱操作部５６ｂの上方へのスライド状態を解除する。すると、第２軸部材５６がコイルスプリング６６の付勢力により下方へスライドし、軸部５６ａの下端が下側軸受孔４１へ挿入される。この結果、ヒンジ回動部３０がヒンジベース２９に軸着され、カム部７０とカムフォロワ６９とが嵌合し、この嵌合状態で上皿ユニット１１が回動軸５０を中心にして回動可能となる。
【００３１】
上皿ユニット１１を軸着し、カム部７０にカムフォロワ６９を嵌合したならば、回動軸５０を中心にしてこの上皿ユニット１１を上方から見て時計方向へ回動し、前面枠本体４に対して開いて開状態へ変換する。すると、ヒンジ回動部３０が上皿ユニット１１とともに時計方向へ回動し、カムフォロワ６９がカム部７０に案内されて移動（回動）する。そして、軸調整機構６８は、図５（ａ）に示すように、第１突出片６９ａを第１軸部材５３の後方に配置するとともに、第２突出片６９ｂを第１軸部材５３の前方に配置し、カムフォロワ６９を前後方向に延在した状態に設定する。また、第１突出片６９ａの後端、すなわちカムフォロワ６９の後端を第１開放当接部７５へ当接し、第２突出片６９ｂの前端、すなわちカムフォロワ６９の前端を第２開放当接部８０へ当接する。この結果、ヒンジ機構２８は、第１軸部材５３を上側軸受孔３６の中央開口部３６ａに配置し、第１軸部材５３と第２軸部材５６とで構成される回動軸５０を基準線Ｌ０上に配置する。そして、本実施形態では、基準線Ｌ０を垂直線としているので、開状態の上皿ユニット１１が停止せずに自然に回動してしまう不都合をなくすことができる。このことから、パチンコ遊技機１のメンテナンス作業時や遊技中のトラブルの復旧作業時に、作業員が上皿ユニット１１を開状態に維持することに注意を払う必要がなく、作業の負担の軽減を図ることができる。また、開状態の上皿ユニット１１が開き過ぎて隣のパチンコ遊技機１で遊技を行う遊技者に衝突する不都合を防ぐことができ、近隣の遊技者の遊技を阻害することがない。
【００３２】
さらに、軸調整機構６８は、第１突出片６９ａの側部（図５（ａ）中、右側部）を第１開放ストッパー８３ａへ当接するとともに、第２突出片６９ｂの側部（図５（ａ）中、左側部）を第２開放ストッパー８３ｂへ当接する。したがって、カムフォロワ６９と共回りするヒンジ回動部３０が上皿ユニット１１の開動作方向（上方から見て時計方向）へ回動することを阻止することができ、上皿ユニット１１の自由端がヒンジ機構２８を挟んでパチンコ遊技機１とは反対側に移動することを避けることができる。これにより、上皿ユニット１１が開き過ぎて近隣の遊技者に衝突して遊技を阻害する不都合を一層なくすことができる。
【００３３】
一方、回動軸５０を中心にして上皿ユニット１１を上方から見て反時計方向へ回動し、前面枠本体４に対して閉じて開状態から閉状態へ変換すると、ヒンジ回動部３０が上皿ユニット１１とともに反時計方向へ回動し、カムフォロワ６９がカム部７０に案内されて移動（回動）する。具体的には、上皿ユニット１１の重心が回動軸５０から上皿ユニット１１の自由端寄りに外れていることに基づいて、第２突出片６９ｂが第２カム部７０ｂを押圧しながら第２カム部７０ｂに沿って摺動する。この結果、軸調整機構６８は、第２カム部７０ｂにより第２突出片６９ｂ（すなわちカムフォロワ６９）を押し返して第１軸部材５３を回転しながら上皿ユニット１１の一側（図５（ｂ）中、左側）へ向けて移動する。そして、図５（ｂ）に示すように、第１突出片６９ａを第１軸部材５３の左側方に配置するとともに、第２突出片６９ｂを第１軸部材５３の右側方に配置して、カムフォロワ６９を左右方向に延在した状態に設定する。また、第１突出片６９ａの左端、すなわちカムフォロワ６９の左端を第１閉成当接部７６の近傍に配置、あるいは第１閉成当接部７６へ当接し、第２突出片６９ｂの右端、すなわちカムフォロワ６９の右端を第２閉成当接部８１へ当接する。
【００３４】
このとき、第１閉成当接部７６と中央開口部３６ａとの距離Ｙ１を第２閉成当接部８１と中央開口部３６ａとの距離Ｙ２よりも長く設定し、且つ距離Ｙ１を第１突出片６９ａの突出長さｒよりも長く、距離Ｙ２を第２突出片６９ｂの突出長さｒよりも短く設定しているので、ヒンジ機構２８は、軸調整機構６８により第１軸部材５３を回動しながら第１閉成当接部７６側、ひいては上皿ユニット１１の一側（図４（ａ）および図５（ｂ）中、左側）へ向けて移動する。この結果、図６に示すように、第１軸部材５３と第２軸部材５６とで構成される回動軸５０を基準線Ｌ０上からずれた姿勢、具体的には基準線Ｌ０から角度αで傾いた姿勢であり、且つ第１軸部材５３（回動軸５０の上端部）が第２軸部材５６（回動軸５０の下端部）よりも上皿ユニット１１の一側寄り（図６中、左寄り）に配置する姿勢に設定する。すなわち、回動軸５０の上端部を第１閉成当接部７６側へ傾かせて、図６中に示す傾斜軸線Ｌ１上に回動軸５０を配置する。これにより、閉状態の上皿ユニット１１は、その自由端部（図６中、左端部）を僅かではあるが図６中に示す矢印Ａの方向、すなわち上方へ持ち上げることになる。したがって、閉状態の上皿ユニット１１が自重により傾く不具合を修正することができる。これにより、上皿ユニット１１とその周辺の構成部品（具体的には下方の下皿ユニット１２）とが干渉する不都合を避けることができ、上皿ユニット１１の開閉動作をスムーズに行うことができる。
【００３５】
また、開閉動作をスムーズに行うために上皿ユニット１１の一部を切り欠く必要がなく、上皿ユニット１１の美観を損ね難い。さらに、上皿ユニット１１の傾きを手などで持ち上げて修正する必要がなく、閉状態への変換が面倒にならない。そして、軸調整機構６８をカムフォロワ６９とカム部７０とで構成しているので、簡単な構成で軸調整機構６８を実現することができる。また、特別な動力を必要とせず、上皿ユニット１１を回動するだけで回動軸５０の姿勢の調整を行うことができる。したがって、軸調整機構６８を備えたヒンジ機構２８の製造コストの低減、ひいてはパチンコ遊技機１の製造コストの低減を図ることができる。
【００３６】
なお、上皿ユニット１１を閉状態へ変換すると、軸調整機構６８は、第１突出片６９ａの前側部を第１閉成ストッパー８４ａへ当接するとともに、第２突出片６９ｂの後側部を第２閉成ストッパー８４ｂへ当接する。したがって、カムフォロワ６９が上皿ユニット１１を閉状態から更に閉動作方向（上方から見て反時計方向）へ回動することを阻止することができる。このことから、上皿ユニット１１により前面枠本体４が前方から押圧されて損傷する不具合を抑えることができる。
【００３７】
そして、ヒンジ機構２８に、上皿ユニット１１の開閉動作を規制する開閉ストッパー（第１開放ストッパー８３ａ、第２開放ストッパー８３ｂ、第１閉成ストッパー８４ａ、第２閉成ストッパー８４ｂ）を備えたので、ヒンジ機構２８とは別個の部材を用いて上皿ユニット１１の開閉動作を規制する必要がない。したがって、パチンコ遊技機１の構成が複雑になることを抑制することができ、パチンコ遊技機１の製造工程の簡素化や製造コストの低減を図ることができる。さらに、軸受部３４は、回動軸５０の上端部を支持する上部軸受３７と、回動軸５０の下端部を支持する下部軸受４２とを備えて構成されているので、軸受部３４で回動軸５０を確実に支持することができる。したがって、パチンコ遊技機１に開閉体である上皿ユニット１１を十分な支持強度で備えることができる。
【００３８】
ところで、上記実施形態では、上部軸受３７に略扇状の開口部７３，７８を開設し、該開口部７３，７８の外側縁部で円弧状のカム部７０を構成したが、本発明はこれに限定されない。例えば、図７に示す第２実施形態の軸調整機構８８は、カム部９０を円弧状の溝部で構成している。具体的に説明すると、第２実施形態におけるヒンジ機構２８は、上部軸受３７に左右方向へ横長な長穴を開設して上側軸受孔９１とし、該上側軸受孔９１に第１軸部材５３を嵌合して左右方向へ移動可能としている。さらに、上側軸受孔９１のうち上皿ユニット１１の自由端側に位置する部分（図７中、右側部）を基準部９１ａとし、該基準部９１ａを下側軸受孔４１の直上に配置している。また、上側軸受孔９１の後方から左側方に亘って円弧状の溝部を開設して第１カム部９０ａとし、該第１カム部９０ａの後側縁部を第１開放当接部９３に設定し、該第１開放当接部９３から前方へ略９０°位相を異ならせた前側縁部を第１閉成当接部９４に設定している。そして、第１カム部９０ａのうち第１開放当接部９３の近傍の半径を第１閉成当接部９４の近傍の半径よりも大きく設定している。また、上側軸受孔９１の前方から右側方に亘って円弧状の溝部を開設して第２カム部９０ｂとし、該第２カム部９０ｂの前側縁部を第２開放当接部９６に設定し、該第２開放当接部９６から後方へ略９０°位相を異ならせた後側縁部を第２閉成当接部９７に設定している。そして、第２カム部９０ｂのうち第２開放当接部９６の近傍の半径を第２閉成当接部９７の近傍の半径よりも小さく設定している。
【００３９】
さらに、第１開放当接部９３、第２開放当接部９６および上側軸受孔９１の基準部９１ａを前後方向に並ぶ状態で配置し、第１開放当接部９３と上側軸受孔９１（基準部９１ａ）との距離Ｘ１′と、第２開放当接部９６と上側軸受孔９１（基準部９１ａ）との距離Ｘ２′とを等しく設定している。また、第１閉成当接部９４、第２閉成当接部９７および上側軸受孔９１を左右方向に並ぶ状態で配置し、第１閉成当接部９４と上側軸受孔９１（基準部９１ａ）との距離Ｙ１′を第２閉成当接部９７と上側軸受孔９１（基準部９１ａ）との距離Ｙ２′よりも長く設定している。
【００４０】
さらに、第１軸部材５３には、その基部から２本の腕部９９を第１軸部材５３を挟んで互いに反対の外方向へ延設し、各腕部９９の先端に縦向きのピンを突設（接続）してカムフォロワ１００を形成している。そして、一方のカムフォロワ１００を第１カムフォロワ１００ａとし、該第１カムフォロワ１００ａを上皿ユニット１１の自由端側とは反対側に配置して、第１カム部９０ａに摺動可能な状態で嵌合している。また、他方のカムフォロワ１００を第２カムフォロワ１００ｂとし、該第２カムフォロワ１００ｂを上皿ユニット１１の自由端側に配置して、第２カム部９０ｂに摺動可能な状態で嵌合している。
【００４１】
なお、軸調整機構８８は、第１カムフォロワ１００ａの外側端部と第１軸部材５３との距離と、第２カムフォロワ１００ｂの外側端部と第１軸部材５３との距離とを等しい寸法ｒ′に設定している。また、上側軸受孔９１を挟んで反対側に位置する第１カム部９０ａの外側縁部と第２カム部９０ｂの外側縁部との間隔、第１開放当接部９３と第２開放当接部９６との間隔、および第１閉成当接部９４と第２閉成当接部９７との間隔を、それぞれカムフォロワが嵌合可能な寸法、すなわち第１カムフォロワ１００ａの外側端部と第２カムフォロワ１００ｂの外側端部との距離２ｒ′に設定している。さらに、第１開放当接部９３と上側軸受孔９１（基準部９１ａ）との距離Ｘ１′を第１カムフォロワ１００ａの外側端部と第１軸部材５３との距離ｒ′に等しく設定し、第２開放当接部９６と上側軸受孔９１（基準部９１ａ）との距離Ｘ２′を第２カムフォロワ１００ｂの外側端部と第１軸部材５３との距離ｒ′に等しく設定している。そして、第１閉成当接部９４と上側軸受孔９１（基準部９１ａ）との距離Ｙ１′を第１カムフォロワ１００ａの外側端部と第１軸部材５３との距離ｒ′よりも長く設定し、第２閉成当接部９７と上側軸受孔９１（基準部９１ａ）との距離Ｙ２′を第２カムフォロワ１００ｂの外側端部と第１軸部材５３との距離ｒ′よりも短く設定している。
【００４２】
このような構成の軸調整機構８８を備え、上皿ユニット１１を前面枠本体４に対して開いて開状態へ変換すると、ヒンジ回動部３０が上皿ユニット１１とともに時計方向へ回動し、カムフォロワ１００がカム部９０に案内されて移動する。そして、図７に二点鎖線で示すように、第１カムフォロワ１００ａが第１カム部９０ａの第１開放当接部９３へ当接し、第２カムフォロワ１００ｂが第２開放当接部９６へ当接する。この結果、軸調整機構８８は、第１軸部材５３を上側軸受孔９１の基準部９１ａ、すなわち下側軸受孔４１の直上に配置し、第１軸部材５３と第２軸部材５６とで構成される回動軸５０を基準線Ｌ０上に配置する。さらに、カムフォロワ１００とカム部９０の縁部（第１開放当接部９３および第２開放当接部９６）との当接により、カムフォロワ１００と共回りするヒンジ回動部３０が上皿ユニット１１の開動作方向（上方から見て時計方向）へ回動することを阻止される。これにより、上皿ユニット１１が開き過ぎて上皿ユニット１１の自由端がヒンジ機構２８を挟んでパチンコ遊技機１とは反対側に移動することがない。
【００４３】
一方、上皿ユニット１１を前面枠本体４に対して閉じて開状態から閉状態へ変換すると、ヒンジ回動部３０が上皿ユニット１１とともに反時計方向へ回動し、カムフォロワ１００がカム部９０に案内されて移動する。具体的には、上皿ユニット１１の重心が回動軸５０から上皿ユニット１１の自由端寄りに外れていることに基づいて、第１カムフォロワ１００ａが第１カム部９０ａの内側縁部を押圧しながら第１カム部７０ａに沿って摺動し、第２カムフォロワ１００ｂが第２カム部９０ｂの外側縁部を押圧しながら第２カム部７０ｂに沿って摺動する。この結果、軸調整機構６８は、第１カム部９０ａにより第１カムフォロワ１００ａを押し返すとともに、第２カム部９０ｂにより第２カムフォロワ１００ｂを押し返して第１軸部材５３を回転しながら上側ユニット１１の一側（図７中、左側）へ向けて移動する。そして、図７に実線で示すように、第１カムフォロワ１００ａが第１カム部９０ａの第１閉成当接部９４の近傍に配置、あるいは第１閉成当接部９４へ当接し、第２カムフォロワ１００ｂが第２カム部９０ｂの第２閉成当接部９７へ当接する。このとき、第１閉成当接部９４と基準部９１ａとの距離Ｙ１′を第２閉成当接部９７と基準部９１ａとの距離Ｙ２′よりも長く設定し、且つ距離Ｙ１′を第１カムフォロワ１００ａの外側端部と第１軸部材５３との距離ｒ′よりも長く距離Ｙ２′を第２カムフォロワ１００ｂの外側端部と第１軸部材５３との距離ｒ′よりも短く設定しているので、軸調整機構８８は、第１軸部材５３を回動しながら第１カム部９０ａ側、ひいては上皿ユニット１１の一側（図７中、左側）へ向けて移動する。この結果、図６に示すように、第１軸部材５３と第２軸部材５６とで構成される回動軸５０を基準線Ｌ０上からずれた姿勢、具体的には基準線Ｌ０から角度αで傾いた姿勢であり、且つ第１軸部材５３（回動軸５０の上端部）が第２軸部材５６（回動軸５０の下端部）よりも上皿ユニット１１の一側寄り（図６中、左寄り）に配置する姿勢に設定する。したがって、第２実施形態においても、閉状態の上皿ユニット１１は、その自由端部を上方へ持ち上げることになり、自重により傾く不具合を修正することができる。また、カムフォロワ１００とカム部９０の縁部（第１閉成当接部９４および第２閉成当接部９７）との当接により、上皿ユニット１１を閉状態から更に閉動作方向へ回動することを阻止することができる。このことから、上皿ユニット１１により前面枠本体４が前方から押圧されて損傷する不具合を抑えることができる。
【００４４】
このようにカムフォロワ１００を縦向きのピンで構成するとともに、カム部９０を円弧状の溝部で構成すれば、軸受部３４に大きな開口を開設することなく、簡単な構成で軸調整機構を実現することができる。また、カム部９０とカムフォロワ１００とを安定した状態で嵌合して、回動軸５０の姿勢の調整を容易に行うことができる。そして、特別な動力を必要とせず、上皿ユニット１１を回動するだけで回動軸５０の姿勢を調整することができる。したがって、軸調整機構を備えたヒンジ機構２８の製造コストの低減を図ることができ、ひいてはパチンコ遊技機１の製造コストの低減を図ることができる。
【００４５】
ところで、上記実施形態では、上部軸受３７に開口してカム部７０，９０を形成し、該カム部７０，９０にカムフォロワ６９，１００を摺動可能な状態で嵌合して軸調整機構６８，８８を構成したが、本発明はこれに限定されず、回動軸５０の上端部を上皿ユニット１１の一側寄りに移動できる機構であればどのようなものでもよい。例えば、図８に示す第３実施形態のヒンジ機構２８は、上部軸受３７に左右方向へ横長な上側軸受孔１０３のみを開設し、軸調整機構１０４を第１軸部材５３（回動軸５０）と共回りする略扇状の被ガイド部１０６と、被ガイド部１０６に当接可能な短冊状のガイド部１０７とで構成している。なお、上側軸受孔１０３は、上皿ユニット１１の自由端側の部分（図８中、右側部）を基準部１０３ａとし、該基準部１０３ａを下側軸受孔４１の直上に配置している。
【００４６】
被ガイド部１０６は、第１軸部材５３のうち上部軸受３７の上面よりも上方の部分に設けられた部材であり、扇の要部分に相当する端部に第１軸部材５３を止着し、第１軸部材５３と反対側の円弧状の縁部を被ガイド摺動部１０８としている。そして、後述のガイド部１０７と第１軸部材５３との間に挟まれる状態で配置され、この配置状態で被ガイド摺動部１０８をガイド部１０７に対して摺動できるように構成されている。さらに、被ガイド摺動部１０８の一側部（図８中、左側部）を、上皿ユニット１１の開状態においてガイド部１０７に当接する第１当接部１０８ａに設定し、他側部（図８中、右側部）を、上皿ユニット１１の閉状態においてガイド部１０７に当接する第２当接部１０８ｂに設定している。また、第２当接部１０８ｂと第１軸部材５３との間の幅Ｚ２を第１当接部１０８ａと第１軸部材５３との間の幅Ｚ１よりも広く設定するとともに、被ガイド摺動部１０８と第１軸部材５３との間の幅を第１当接部１０８ａから第２当接部１０８ｂへ向かうに連れて次第に広くなるように設定している。
【００４７】
また、ガイド部１０７は、上部軸受３７のうち第１軸部材５３よりも上皿ユニット１１の他側寄りの縁部、詳しくは上皿ユニット１１の自由端側に位置する縁部（図８中、右縁部）に配置され、上部軸受３７の上面よりも上方へ突出して被ガイド摺動部１０８を当接できるように構成されている。なお、この第３実施形態の上部軸受３７の前縁部には、被ガイド部１０６に当接可能な開放ストッパー１０９を備え、上皿ユニット１１を開状態に変換した場合に、開放ストッパー１０９に被ガイド部１０６を係止して被ガイド部１０６の回動を規制し、上皿ユニット１１が開き過ぎることを防ぐように構成されている。
【００４８】
このような構成の軸調整機構１０４を備え、上皿ユニット１１を前面枠本体４に対して開いて開状態へ変換すると、ヒンジ回動部３０および被ガイド部１０６が上皿ユニット１１とともに時計方向へ回動する。すると、軸調整機構１０４は、図８に二点鎖線で示すように、被ガイド摺動部１０８の第１当接部１０８ａをガイド部１０７へ当接し、第１軸部材５３を上側軸受孔１０３のガイド部１０７側（図８中、右側）へ移動して、第１軸部材５３と第２軸部材５６とで構成される回動軸５０を基準線Ｌ０上に配置する（図６参照）。
【００４９】
一方、上皿ユニット１１を前面枠本体４に対して閉じて開状態から閉状態へ変換すると、ヒンジ回動部３０および被ガイド部１０６が上皿ユニット１１とともに反時計方向へ回動する。すると、軸調整機構１０４は、ガイド部１０７に被ガイド摺動部１０８を摺動し、この摺動に伴って被ガイド部１０６を押圧して第１軸部材５３を回動しながら上皿ユニット１１の一側（図６中、左側）へ向けて移動する。そして、図８に実線で示すように、第２当接部１０８ｂをガイド部１０７に当接する。この結果、図６に示すように、第１軸部材５３と第２軸部材５６とで構成される回動軸５０を基準線Ｌ０上からずれた姿勢、具体的には基準線Ｌ０から角度αで傾いた姿勢であり、且つ第１軸部材５３（回動軸５０の上端部）が第２軸部材５６（回動軸５０の下端部）よりも上皿ユニット１１の一側寄り（図６中、左寄り）に配置する姿勢に設定する。したがって、第３実施形態においても、閉状態の上皿ユニット１１は、その自由端部を上方へ持ち上げることになり、自重により傾く不具合を修正することができる。
【００５０】
また、上部軸受３７に回動軸５０が挿通される上側軸受孔１０３以外の開口部を設ける必要がなく、簡単な構成で軸調整機構を実現することができる。さらに、特別な動力を必要とせず、上皿ユニット１１を回動するだけで回動軸５０の姿勢の調整を行うことができる。したがって、軸調整機構を備えたヒンジ機構２８の製造コストの低減、ひいてはパチンコ遊技機１の製造コストの低減を図ることができる。
【００５１】
なお、上記実施形態では、ヒンジ機構２８を用いて開閉可能となる開閉体として上皿ユニット１１を例示したが、本発明はこれに限定されない。要は、横方向へ開閉可能な開閉体であればどのようなものでもよく、例えば、透明部材保持枠９でもよい。また、ヒンジ機構２８の回動軸５０の基準線Ｌ０は、開閉体の回動中心として予め設定された縦向きの基準線であれば、傾斜していてもよい。
【００５２】
また、上記実施形態の軸調整機構６８，８８，１０４は、第１軸部材５３（回動軸５０の上端部）を上皿ユニット１１（開閉体）の一側へ向けて移動して閉状態における回動軸５０の姿勢を調整するようにしたが、本発明はこれに限定されない。例えば、回動軸５０の下端部を開閉体の他側へ向けて移動したり、あるいは、回動軸５０の上端部を開閉体の一側へ向けて移動するとともに回動軸５０の下端部を開閉体の他側へ向けて移動したりして、回動軸５０を基準線Ｌ０から傾いた姿勢に設定し、且つ回動軸５０の上端部が下端部よりも開閉体の一側寄りに配置してもよい。
【００５３】
そして、上記実施形態では、代表的な遊技機であるパチンコ遊技機を例にして説明したが、本発明はこれに限らず、開閉体の一側に配置され、開閉体を横方向へ開閉可能とするヒンジ機構を備えた遊技機であればどのような遊技機でもよい。例えば、内部に封入した遊技球を循環させる封入球式パチンコ機、アレンジボール式遊技機、雀球式遊技機等の遊技機であってもよい。
【００５４】
なお、前記した実施の形態は全ての点で例示であって制限的なものではないと考えられるべきである。本発明は、上記した説明に限らず特許請求の範囲によって示され、特許請求の範囲と均等の意味及び範囲内での全ての変更が含まれるものである。
【図面の簡単な説明】
【００５５】
【図１】パチンコ遊技機の斜視図である。
【図２】（ａ）は上皿ユニットの斜視図、（ｂ）は上皿ユニットのヒンジ機構の周辺の部分拡大図である。
【図３】ヒンジ機構の分解斜視図である。
【図４】（ａ）はヒンジ機構の平面図、（ｂ）は上側軸受孔の拡大図である。
【図５】（ａ）は上皿ユニットを開状態へ変換した時のヒンジ機構の状態図、（ｂ）は上皿ユニットを閉状態へ変換したときのヒンジ機構の状態図である。
【図６】上皿ユニットの回動軸の基準線および閉状態における傾斜軸線を示す概略図である。
【図７】第２実施形態における軸調整機構の説明図である。
【図８】第３実施形態における軸調整機構の説明図である。
【符号の説明】
【００５６】
１  パチンコ遊技機
３  前面枠
４  前面枠本体
１１  上皿ユニット
２８  ヒンジ機構
２９  ヒンジベース
３０  ヒンジ回動部
３２  ベース基部
３４  軸受部
３６  上側軸受孔
３６ａ  中央開口部
３７  上部軸受
４１  下側軸受孔
４２  下部軸受
４９  回動基部
５０  回動軸
５３  第１軸部材
５５  下側軸支部
５６  第２軸部材
６１  上側軸支部
６８  軸調整機構
６９  カムフォロワ
６９ａ  第１突出片
６９ｂ  第２突出片
７０  カム部
７０ａ  第１カム部
７０ｂ  第２カム部
７３  第１開口部
７５  第１開放当接部
７６  第１閉成当接部
７８  第２開口部
８０  第２開放当接部
８１  第２閉成当接部
８３  開放ストッパー
８３ａ  第１開放ストッパー
８３ｂ  第２開放ストッパー
８４  閉成ストッパー
８４ａ  第１閉成ストッパー
８４ｂ  第２閉成ストッパー
８８  軸調整機構
９０  カム部
９０ａ  第１カム部
９０ｂ  第２カム部
９１  上側軸受孔
９１ａ  基準部
９３  第１開放当接部
９４  第１閉成当接部
９６  第２開放当接部
９７  第２閉成当接部
１００  カムフォロワ
１００ａ  第１カムフォロワ
１００ｂ  第２カムフォロワ
１０３  上側軸受孔
１０３ａ  基準部
１０４  軸調整機構
１０６  被ガイド部
１０７  ガイド部
１０８  被ガイド摺動部
１０８ａ  第１当接部
１０８ｂ  第２当接部
【図１】
2008036147.tif 000003
【図２】
2008036147.tif 000004
【図３】
2008036147.tif 000005
【図４】
2008036147.tif 000006
【図５】
2008036147.tif 000007
【図６】
2008036147.tif 000008
【図７】
2008036147.tif 000009
【図８】
2008036147.tif 000010